【事件の表示】
　特願２００２−１７５６７３「デスクランブル方法、および受信端末」拒絶査定不服審判事件〔平成１５年　４月１８日出願公開、特開２００３−１１５８３５〕について、次のとおり審決する。
【結　論】
　本件審判の請求は、成り立たない。
【理　由】
第一　経緯
　
１．手続
　本願は、平成７年６月１５日にした出願（特願平７−１４８５１２号）の一部を新たな特許出願とした平成１４年６月１７日の出願である。
　本件は、本願についてされた拒絶査定（平成１７年８月１日付け）を不服とする平成１７年９月５日の審判の請求であり、請求後、手続補正書（平成１７年１０月５日付け、明細書及び図面について請求の日から３０日以内にする補正）が提出された。
　
２．査定
　原査定の理由は、概略、下記のとおりである。
　　　　　記（査定の理由）
　本願各発明（請求項１から請求項６まで）は、下記刊行物に記載された発明および周知技術に基づいて当業者が容易に発明をすることができたものであるから、特許法第２９条第２項の規定により、特許を受けることができない。
　　　　　記
　刊行物１：特開昭６２−１８９号公報
　刊行物２：特開平４−１５０３３３号公報
　刊行物３：特開平３−１７８２８９号公報
　
第二　補正の却下の決定
　
　平成１７年１０月５日付けの補正について次のとおり決定する。
　
　《結論》
　平成１７年１０月５日付けの補正を却下する。
　
　《理由》
１．補正の内容
　本件補正は、請求項１についてする下記の補正を含むものである。
　　　　　記（請求項１の補正）
　請求項１について、
　「チャンネル単位で契約が行われる第１の種別の番組と、視聴した番組に応じて課金され、且つ、所定の周期で課金処理が行われる第２の種別の番組と、視聴した番組に応じて課金され、且つ、前記所定の周期による提供時点より前でも、受信端末からの事前連絡以後の時点で課金処理が行われる第３の種別の番組とを含むテレビジョン番組がスクランブルされて伝送される放送信号を受信してデスクランブルする受信端末のデスクランブル方法において、
　前記第３の種別の番組を受信するための前記事前連絡に対応するユーザの操作を受け付け、
　前記事前連絡の受付に応答して放送供給側から伝送された前記番組の契約鍵を受信し、
　前記受信した契約鍵に基づいて、前記番組に付随して伝送された番組情報に含まれる暗号化されたスクランブル鍵を復号し、
　前記復号されたスクランブル鍵に基づいて、前記番組のデスクランブルを行う
　ことを特徴とするデスクランブル方法。」（補正前）とあるのを、
　「チャンネル単位で契約が行われる第１の種別の番組と、視聴した番組に応じて課金され、且つ、所定の周期で課金処理が行われる第２の種別の番組と、視聴した番組に応じて課金され、且つ、前記所定の周期による提供時点より前でも、受信端末からの事前連絡以後の時点で課金処理が行われる第３の種別の番組とを含むテレビジョン番組であって、各番組がディジタル化された後に多重化され、さらにスクランブルされて伝送されるテレビジョン番組の放送信号を受信してデスクランブルする受信端末のデスクランブル方法において、
　前記第１の種別の番組を受信する場合、
　　前記受信端末側に記憶されているスクランブル鍵により前記第１の種別の番組のデスクランブルを行い、
　前記第２の種別の番組を受信する場合、
　　前記第２の種別の番組を受信するためのユーザの操作を受け付け、
　　前記受信端末側に記憶されているスクランブル鍵により前記第２の種別の番組のデスクランブルを行い、
　　ユーザの操作により選択された番組の情報を記憶し、
　　前記所定の周期で課金処理が行われるとき、記憶されている前記ユーザの操作により選択された番組の情報を放送供給側に伝送し、
　前記第３の種別の番組を受信する場合、
　　前記第３の種別の番組を受信するための前記事前連絡に対応するユーザの操作を受け付け、
　　ユーザの操作により選択された番組の情報を放送供給側に伝送し、
　　前記放送供給側に伝送された前記ユーザの操作により選択された番組の情報に応答して前記放送供給側から伝送された前記番組の契約鍵を受信し、
　　前記受信した契約鍵に基づいて、前記番組に付随して伝送された番組情報に含まれる暗号化されたスクランブル鍵を復号し、
　　前記復号されたスクランブル鍵に基づいて、前記番組のデスクランブルを行う
　ことを特徴とするデスクランブル方法。」（補正後）と補正する。
　
２．補正の適否
（１）補正の範囲
　補正後の請求項１に記載される下記の補正事項は願書に最初に添付した明細書又は図面に記載されていないので、同補正事項を含む本件補正は、願書に最初に添付した明細書又は図面に記載した事項の範囲内においてするものではない。
　本件補正は、特許法第１７条の２第３項の規定に違反する。
　
　　　　　記（補正事項）
　補正事項１
　「前記受信端末側に記憶されているスクランブル鍵により前記第１の種別の番組のデスクランブルを行い、」
　補正事項２
　「前記受信端末側に記憶されているスクランブル鍵により前記第２の種別の番組のデスクランブルを行い、」
　
　詳細は以下のとおりである。
　
（１−１）第１の種別の番組
　（ａ）請求項１に記載される「第１の種別の番組」が、当初明細書に記載した「フラットで契約」または「フラット視聴」に対応することは明らかであるところ、これにつき同明細書には、以下のとおり記載されている。
　　「所定のチャンネルをフラットで契約すると、契約したチャンネルに対応する契約鍵と、そのチャンネルに対応するＳｅｒｖｉｃｅ＿ｉｄ、契約タイプ等からなる契約情報を含む個別情報が送信側システムから受信端末に送信され、受信端末を構成するセキュリティモジュール９に記憶される。契約するチャンネル数が多数あれば、上述した手順が繰り返し実行されることになる。
　　フラット視聴の場合、受信した番組に付随する番組情報内のＳｅｒｖｉｃｅ＿ｉｄがセキュリティモジュール９に記憶されており、かつ番組情報内の契約鍵番号で示される契約鍵がセキュリティモジュール９に記憶されており、かつＳｅｒｖｉｃｅ＿ｉｄに対応する契約タイプがフラットである場合、
第２復号器２２によって、番組情報が復号され、得られたスクランブル鍵がデスクランブラ２１に供給され、
　　「次に、
視聴形態に応じて、スクランブル鍵を復号する契約鍵を伝送する形態を変化させて、
　　フラット視聴の場合、受信した番組に付随する番組情報内のＳｅｒｖｉｃｅ＿ｉｄがセキュリティモジュール９内に記憶されており、かつ番組情報内の契約鍵番号で示される契約鍵がセキュリティモジュール９内に記憶されており、かつＳｅｒｖｉｃｅ＿ｉｄに対応する契約タイプがフラットであるとき、
スクランブル鍵を復号してデスクランブラ２１に供給し、デスクランブラ２１を動作させる。
　（ｂ）上記記載によれば、フラット視聴の場合、スクランブル鍵は第２復号器２２によって番組情報から復号されるものであり、「受信端末に記憶されている」訳ではない。
　すなわち、補正事項１は記載されていない。
　
（１−２）第２の種別の番組
　（ａ）請求項１に記載される「第２の種別の番組」が、当初明細書に記載した「ペイパービュー契約」または「ペイパービュー視聴」に対応することは明らかであるところ、これにつき同明細書には、以下のとおり記載されている。
　　「ペイパービュー契約の場合、契約すると、契約したチャンネルに対応する契約鍵と、そのチャンネルに対応するＳｅｒｖｉｃｅ＿ｉｄ、契約タイプを含む個別情報が送信側システムから受信端末に送信され、デコーダ８を介してセキュリティモジュール９に供給され、記憶される。契約するチャンネルが多数ある場合、この手順が繰り返されることになる。
　　フラットで契約していても、高額の特別番組を視聴するときに、ペイパービューの操作をすることによって視聴が可能となるようにする場合、送信側システムから、受信端末に特別番組の視聴許可用に、契約鍵、特別番組のチャンネルに対応するＳｅｒｖｉｃｅ＿ｉｄ、特別契約を示す契約タイプを含む個別情報が送信される。この個別情報は、セキュリティモジュール９に供給され、記憶される。特別番組が多数あり、それぞれに個別の契約鍵を割り当てる場合には、この手順が繰り返されることになる。」（段落0045、段落0046）
　　「次に、視聴形態に応じて、スクランブル鍵を復号する契約鍵を伝送する形態を変化させて、視聴制御を行う方法について説明する。（中略）
　ペイパービュー視聴の場合、受信した番組に付随する番組情報内のＳｅｒｖｉｃｅ＿ｉｄがセキュリティモジュール９内に記憶されており、かつ番組情報内の契約鍵番号で示される契約鍵がセキュリティモジュール９内に記憶されており、かつＳｅｒｖｉｃｅ＿ｉｄに対応する契約タイプがペイパービューのとき、例えば受信端末に設けられた「ペイ確認」ボタン１２（指示手段）を押すなどのペイパービュー操作を行うことにより、番組の視聴を可能とすることができる。
　　ペイパービュー操作が行われると、例えば視聴した番組のチャンネルＩＤ、番組ＩＤ、および視聴時間などからなる視聴履歴が、その都度セキュリティモジュール９に記憶される。セキュリティモジュール９に記憶された視聴情報は、所定の周期で、例えば１カ月毎に送信側システムに電話回線１１を介して送信される。送信側システムは、受信端末から送信されてきた視聴情報に基づいて、各受信端末毎の課金処理を行う。」（段落0061、段落0063、段落0064）
　（ｂ）上記記載によれば、ペイパービュー視聴の場合も、スクランブル鍵は第２復号器２２によって番組情報から復号されるものであり、「受信端末に記憶されている」訳ではない。
　すなわち、補正事項２は記載されていない。
　
（２）補正の目的、独立特許要件
　仮に、上記補正事項は願書に最初に添付した明細書又は図面に記載した事項であるとして、以下、さらに検討する。
　上記請求項１についてする補正は特許請求の範囲の減縮を目的とするところ、補正後の請求項１に記載される発明は、刊行物１に記載された発明および周知技術に基づいて、当業者が容易に発明をすることができたものであるから、特許法第２９条第２項の規定により、特許出願の際独立して特許を受けることができない。
　本件補正は、特許法第１７条の２第５項（同項で準用する第１２６条第５項）の規定に違反する。
　
　　　　　記（引用刊行物）
　刊行物１：特開昭６２−１８９号公報（査定の刊行物１）
　刊行物２：特開平４−１５０３３３号公報（査定の刊行物２）
　刊行物３：特開平３−１７８２８９号公報（査定の刊行物３）
　刊行物４：特開昭６１−１２９９９１号公報
　刊行物５：特開平５−２１９５０２号公報
　刊行物６：特開昭６０−１９８９８４号公報
　刊行物７：特開昭６０−１３４６４３号公報
　刊行物８：特開平５−２１９４８８号公報
　
　詳細は、以下のとおりである。
　
（２−１）補正後発明
　補正後の請求項１に記載される発明（補正後発明）は、下記のとおりである。
　　　　　記（補正後発明）
　【請求項１】
　チャンネル単位で契約が行われる第１の種別の番組と、視聴した番組に応じて課金され、且つ、所定の周期で課金処理が行われる第２の種別の番組と、視聴した番組に応じて課金され、且つ、前記所定の周期による
提供時点
　前記第１の種別の番組を受信する場合、
　　前記受信端末側に記憶されているスクランブル鍵により前記第１の種別の番組のデスクランブルを行い、
　前記第２の種別の番組を受信する場合、
　　前記第２の種別の番組を受信するためのユーザの操作を受け付け、
　　前記受信端末側に記憶されているスクランブル鍵により前記第２の種別の番組のデスクランブルを行い、
　　ユーザの操作により選択された番組の情報を記憶し、
　　前記所定の周期で課金処理が行われるとき、記憶されている前記ユーザの操作により選択された番組の情報を放送供給側に伝送し、
　前記第３の種別の番組を受信する場合、
　　前記第３の種別の番組を受信するための前記事前連絡に対応するユーザの操作を受け付け、
　　ユーザの操作により選択された番組の情報を放送供給側に伝送し、
　　前記放送供給側に伝送された前記ユーザの操作により選択された番組の情報に応答して前記放送供給側から伝送された前記番組の契約鍵を受信し、
　　前記受信した契約鍵に基づいて、前記番組に付随して伝送された番組情報に含まれる暗号化されたスクランブル鍵を復号し、
　　前記復号されたスクランブル鍵に基づいて、前記番組のデスクランブルを行う
　ことを特徴とするデスクランブル方法。
　
　なお、「前記所定の周期による
提供時点
課金処理
　
（２−２）刊行物の記載
　原査定の拒絶の理由に引用された刊行物１（特開昭６２−１８９号公報）には、「有料放送方式」（発明の名称）に関し、以下の記載がある。
　《発明の技術分野》
　　（ア）「この発明は、例えば放送衛星等を用いた空中線或は伝送線を介するＣＡＴＶに代表される有線形態で映像、音声、データ、図形情報をサービスする形態において視聴を契約した加入者のみにサービスを行なう・・・有料放送方式に関する。」（１頁右下欄５行〜13行）
　
　《有料放送方式の概要（第１図）》
　　（イ）「第１図に示すように放送局側１００では、データメモリ６０に有料番組の種別を示す予約ティア情報（Ｔｉ）及び有料番組に対してスクランブルするための鍵情報が格納されており、この鍵情報を用いて乱数発生器１０で乱数を発生させ有料放送信号を排他的論理和回路２１０でスクランブルする。また、データメモリ７０には加入者識別符号（ＩＤ）に対応して当該加入者が契約している場合には該当契約有料番組の種別を示す予約ティア（Ｔｉ）として格納される。
　　加入者側２００では予約ティア（Ｔｉ）は鍵抽出回路２２３で抽出され、受信ティア（Ｔｉ）は鍵抽出回路２２８で抽出され、両ティア（Ｔｉ）は比較器２２９で比較される。比較の結果、両ティア（Ｔｉ）が一致しない場合には・・・加入者に対して未契約であることを知らせる。また、この場合、・・・乱数発生器２２０での復号のための乱数の発生が停止される。」（２頁左下欄13行〜右下欄14行）
　
　《有料放送方式の実施例（第２図）》
　〈回路〉
　　（ウ）「この第２図に示す回路によって放送信号に対するスクランブルによって伝送信号に対する暗号化がなされるが、課金対象となるデジタル放送情報は入力端子ＩＮに印加される。
　　この放送情報は有料放送としてスクランブル処理され加入者に対してのみ復号が表されるよう乱数発生器１０で発生した乱数を用いて排他的論理和回路２０でスクランブル処理がなされる。この排他的論理和回路２０の出力に得られるスクランブル化された放送情報は、契約加入者に対してのみ復号が許可されるが、復号のために必要な情報を放送局側１００から加入者側２００に伝送する必要がある。
　　上記したように、放送信号自体は上記擬似ランダム雑音を発生する乱数発生器１０の動作により秘匿されるが、どの契約者にどのような番組の視聴を許可するかの復号可能契約者を特定する情報も秘匿する必要がある。このように、番組情報自体を秘匿するための秘匿鍵情報、復号可能契約者を特定するための秘匿鍵情報の２種の暗号鍵としての秘匿鍵情報により有料化がなされる。」（２頁右下欄19行〜３頁左上欄末行）
　〈暗号鍵〉
　　（エ）「このような有料放送システムにおいては、加入者を示す識別符号（ＩＤ）、及び予約番組の種類を示すティア（Ｔｉ）の公開鍵情報、上記乱数発生器１０に対する初期値（Ｉｎ）、上記ティア（Ｔｉ）に対する暗号符号であるティアキー（Ｋｉ）、上記識別符号（ＩＤ）に対応するパスワード（Ｐａ）が非公開の暗号鍵として扱われる。」（３頁右上欄１行〜７行）
　
  《放送局側（スクランブル）》
　〈乱数発生器〉
　　（オ）「この乱数発生器は例えばＭ系列符号発生器等で構成され所定のアルゴリズムによる乱数が発生する。この場合乱数発生器１０の初期値は同期信号発生回路３０で発生するタイミング信号にもとづき、制御回路４０の制御のもとにイニシャルデータ発生回路５０によって発生する。このイニシャルデータ（Ｉｎ）は上記ティアキー（Ｋｉ）とあいまって上記乱数発生器１０のシーケンス動作を制御する。
　　即ち、上記乱数発生器１０とシーケンス動作は上記イニシャルデータ（Ｉｎ）とティアキー（Ｋｉ）によって制御を受けるわけであるが、上記ティアキー（Ｋｉ）は、メモリテーブル６０に形成されたチャンネル番号毎に付され番組ジャンルを示すティア（Ｔｉ）及びこのティア（Ｔｉ）に対して付された暗号ティアキー（Ｋｉ）からなるメモリマップより抽出され上記に数発生器１０に与えられる。この結果、上記乱数発生器１０は、上述の２種類の暗号鍵であるイニシャルデータ（Ｉｎ）、ティアキー（Ｋｉ）を用いてＫｓ＝ｆ（Ｋｉ、Ｉｎ）なる乱数を発生する。この乱数Ｋｓは一方入力端に放送情報が加えられる排他的論理和回路２０の他方入力端に加えられ、スクランブル化された放送情報が得られる。この場合、上記イニシャルデータ（Ｉｎ）は、スクランブル化された放送情報を平文化するため、暗号鍵情報として用いられるので、イニシャルデータ自体も加入者側にダウンロードされる。」（３頁右上欄９行〜左下欄15行）
　〈暗号鍵情報〉
　　（カ）「放送局側では、どの加入者がどの番組に対して契約しているかの情報を暗号文として生成するがこの情報もダウンロードして加入者側での復号のための鍵情報（Ｅｉ）として用いられる。この暗号情報（Ｅｉ）はメモリテーブル７０に形成された各加入者を識別する識別符号（ＩＤ）に対応して付された秘匿情報であるパスワード（Ｐａ）と上記ティアキー（Ｋｉ）とによりＥｉ＝ｇ（Ｋｉ、Ｐａ）として暗号器８０で生成される。暗号情報（Ｅｉ）も加入者側でスクランブルされた放送情報を復号化するため鍵情報として用いられるので、この暗号情報（Ｅｉ）を復号できない加入者はスクランブルされた放送情報をディスクランブルして放送信号を受信することはできない。」（３頁左下欄16行〜右下欄９行）
　　（キ）「このように放送局側１００からは、第１の鍵情報Ｋｓでスクランブルされた放送情報、契約加入者を特定するに供する第２の鍵情報Ｅｉ、及び上記乱数発生器１０に対する初期値情報（Ｉｎ）がタイミング回路１２０によるタイミング制御のもとにモデム１３０を介して秘匿情報として加入者側１２０にダウンロードされる。更に、公開鍵である番組態様を示すティア（Ｔｉ）がダウンロードされる。」（３頁右下欄13行〜末行）
　
　《加入者側（ディスクランブル）》
　〈関連するデータ処理〉
　　（ク）「次に、加入者側２００についてみると、スクランブルされた放送情報は排他的論理和回路２１０の一方の入力端に加えられる。このスクランブルを解くには、上記乱数発生器１０で発生した乱数と同じ乱数を上記排他的論理和回路２１０の他方の入力端に加えればよいが、この復号化は上述した第１の鍵情報Ｋｓ、第２の鍵情報Ｅｉを生成して乱数発生器２２０でスクランブル時における乱数と同数の乱数を発生することで行なわれる。このようなディスクランブルに供する乱数を発生するには上記第１の鍵情報を生成する必要があるが、加入者側では第１の鍵情報Ｋｓを再生するためにはティアキー（Ｋｉ）、イニシャルデータ（Ｉｎ）を抽出することが必要になる。この場合、ティアキー（Ｋｉ）は、ダウンロード時に第２の鍵情報Ｅｉで暗号化されているため、ティアキー（Ｋｉ）を直接抽出できず一旦第２の鍵情報（Ｅｉ）を抽出しこれからティアキー（Ｋｉ）を抽出する処理が行なわれなければならない。」
（４頁左上欄１行〜18行）
　〈Ｉｎ、Ｅｉ、Ｔｉの書込み（ＩＤ、Ｐａの一致）〉
　　（ケ）「先ず、データ処理に必要な同期信号は同期信号抜取り回路２２１によって抽出され、この同期信号をもとにデータ処理に必要なタイミング信号をタイミング信号発生回路２２２が発生する。また、放送局側１００から送られた関連鍵情報は鍵情報抽出回路２２３で抽出される。即ち、イニシャルデータ（Ｉｎ）、鍵情報Ｅｉ＝ｇ（Ｋｉ、Ｐａ）、及びティア（Ｔｉ）が鍵情報抽出回路２２３で上記タイミング発生回路２２２で規定されるタイミングに従がい抽出される。この抽出された関連鍵情報はＲＡＭ書込制御回路２２４の制御信号の制御によってＲＡＭ２２５に書込まれる。
　　このとき、各加入者毎に付されている加入者識別符号（ＩＤ）及びパスワード（Ｐａ）が加入者側のＲＯＭ２２６から読み出されたものと一致しているか否かを比較器２２７で判別し、比較の結果一致しているときのみ上記ＲＡＭ２２５に対し関連鍵情報の書き込みが許可される。」（４頁左上欄19行〜右上欄16行）
　〈ティアキーの生成（伝送ティアと予約ティアの一致）〉
　　（コ）「また、イニシャルデータ（ＩＤ）、公開鍵情報である番組態様を示すティア（Ｔｉ）は鍵情報抽出回路２２８で抽出され上記ＲＡＭ２２５に書き込まれたティア（Ｔｉ）と伝送された番組に付随するティア（Ｔｉ）との比較を比較器２２９で行ない、この比較の結果ティアが一致している場合には制御回路２３０によって復号器２３１を動作させる。このとき復号器２３１は上記ＲＡＭ２２５から読み出した鍵情報（Ｅｉ）と上記ＲＯＭ２２６から読み出した加入者に付されたパスワード（Ｐａ）から上記暗号器８０と逆のデータ処理を行ないティアキー（Ｋｉ）を生成する。」（４頁右上欄17行〜左下欄７行）
　〈乱数の発生、ディスクランブル処理〉
　　（サ）「このティアキー（Ｋｉ）及び上記鍵情報抽出回路２８８で抽出したイニシャルデータ（Ｉｎ）をもとに乱数発生器２２０でスクランブルに供する乱数と同様の乱数が発生する。この乱数は排他的論理和回路２１０に加えられ、ディスクランブル処理がなされ平文化された放送情報を出力端子ＯＵＴに得る。」（４頁左上欄７行〜13行）
　〈受信ティアと予約ティアの不一致（図３）〉
　　（シ）「この受信ティア（Ｔｉ）は放送情報種別を示す情報として上記予約ティア（Ｔｉ）とは異なる情報フレームに挿入して伝送される。
　　そして、上記鍵抽出回路２２３で抽出された予約ティア（Ｔｉ）はＲＡＭ書込制御回路２２４を介してＲＡＭ２２５に書き込まれる。ＲＡＭ２２５に書き込まれた予約ティア（Ｔｉ）情報は比較器２２９の予約ティアレジスタ７１０に読み出される。また、上記受信ティア（Ｔｉ）情報は受信ティアレジスタ７２０に置数され、上記受信ティア、予約ティアの両者が一致しているか否かは比較器２２９の比較手段７３０によって検出される。即ち、伝送された番組情報が加入者が契約した番組であるか否かの判別が比較器２２９によってなされる。この場合、予約ティア（Ｔｉ）と受信ティア（Ｔｉ）が一致していないと、復号器２３１を制御する制御回路２３０の制御動作を停止させるとともにＣＰＵ３００にティア（Ｔｉ）の不一致を示す信号を供給する。この信号を受けたＣＰＵ３００は、スイッチ９００を
丸Ｂ
　
　《契約の申込み（予約）》
　　（ス）「加入者が契約するには、先ず表示器４００に表示された加入者識別符号（ＩＤ）をキーバッド５００を押釦して入力する。この後、加入者は予じめ知らされている番組態様を示すティア（Ｔｉ）を上記キーバッド５００を操作して入力し、番組予約を行なう。
これらの加入者識別符号（ＩＤ）、ティア（Ｔｉ）はＣＰＵ３００で処理された後にモデム６００を介してアップストリームによって放送局側１００へ送られる。放送局側１００では上記加入者からの予約情報である加入者識別符号（ＩＤ）、ティア（Ｔｉ）はモデム１３０で復調された後、課金マップ９０に加入者識別符号（ＩＤ）をもとに課金情報を書き込む。そしてＣＰＵ１１０は上記課金マップ９０を参照し、料金支払い等を確認した後にメモリテーブル６０に対して非公開情報であるティアキー（Ｋｉ）を書き込む。これにより予約処理が行なわれ、」（４頁左下欄18行〜右下欄13行）
　
　《課金》
　　（セ）「従って、課金マップ９０をＣＰＵ１１０が参照し、ＣＰＵ１１０は料金未納等の契約対象外の者に対しては上記暗号情報（Ｅｉ）を作成せず当該加入者は放送の視聴が禁止される。」（３頁右下欄９行〜12行）
　　（ソ）「放送局側１００では上記加入者からの予約情報である加入者識別符号（ＩＤ）、ティア（Ｔｉ）はモデム１３０で復調された後、課金マップ９０に加入者識別符号（ＩＤ）をもとに課金情報を書き込む。」（４頁右下欄６行〜９行）
　
（２−３）対比
　補正後発明と刊行物１に記載された発明とを対比すると以下の対応が認められる。
　（ａ）デスクランブル方法
　刊行物１では、加入者側において、スクランブルされたデジタル放送情報をダウンロードしディスクランブルする。
　この構成は、補正後発明にいう「スクランブルされて伝送されるテレビジョン番組の放送信号を受信してデスクランブルする受信端末のデスクランブル方法」に相当する。
　（ｂ）第１、第２の種別の番組、これらの受信態様
　刊行物１には、補正後発明にいう「チャンネル単位で契約が行われる第１の種別の番組」および「視聴した番組に応じて課金され、且つ、所定の周期で課金処理が行われる第２の種別の番組」に相当する番組について記載はない。
　同じく「前記第１の種別の番組を受信する場合、前記受信端末側に記憶されているスクランブル鍵により前記第１の種別の番組のデスクランブルを行い」および「前記第２の種別の番組を受信する場合、前記第２の種別の番組を受信するためのユーザの操作を受け付け、前記受信端末側に記憶されているスクランブル鍵により前記第２の種別の番組のデスクランブルを行い、ユーザの操作により選択された番組の情報を記憶し、前記所定の周期で課金処理が行われるとき、記憶されている前記ユーザの操作により選択された番組の情報を放送供給側に伝送し」についても記載がない。
　相違が認められる。
　（ｃ）第３の種別の番組
　（ｃ１）課金対象
　刊行物１では、「課金対象となるデジタル放送情報」（記載ウ）が入力端子ＩＮに印加され、この放送情報は有料放送としてスクランブル処理（乱数発生器１０、排他的論理和回路２０）され、加入者側に伝送される。
　刊行物１の「課金対象となるデジタル放送情報」は、補正後発明と同様に「視聴した番組に応じて課金され、」るものである。
　（ｃ２）課金処理の具体
　本願明細書には以下の記載がある。
　　「ペイパービュー操作が行われると、例えば視聴した番組のチャンネルＩＤ、番組ＩＤ、および視聴時間などからなる視聴履歴が、その都度セキュリティモジュール９に記憶される。セキュリティモジュール９に記憶された視聴情報は、所定の周期で、例えば１カ月毎に送信側システムに電話回線１１を介して送信される。送信側システムは、受信端末から送信されてきた視聴情報に基づいて、各受信端末毎の課金処理を行う。」（段落0063）
　　「ここで、セキュリティモジュール９内に記憶されているチャンネルＩＤ、および番組ＩＤは、視聴者が受信端末を操作することにより、所定の特別番組の視聴の予約を事前申請したときに記憶されたものである。そのとき、この事前申請に対応する信号は、送信側システムにも送信される。従って、送信側システムにおいては、事前連絡者に対する速やかな課金処理を実施することが可能である。」（段落0069）
　これらの記載によれば、補正後発明の「課金処理」は、受信端末から送信されてきた視聴情報（セキュリティモジュール９内に記憶されている視聴履歴や、特別番組の視聴の予約を事前申請したときに記憶されたもの）に基づいて行うものである。なお、その具体（時点を除く）については、文言（課金処理）以上の記載はない。
　他方、刊行物１では、放送局側が、加入者からの予約情報（ＩＤ、Ｔｉ）をモデムで復調した後、「課金マップ９０に加入者識別符号（ＩＤ）をもとに課金情報を書き込む」（記載ス、ソ）ことにより予約処理を行なう。
　補正後発明と刊行物１との間には、受信端末（加入者側）から受信した情報に基づき放送供給側（放送局側）が課金に関連する処理を行なう点で共通が認められる。一方、補正後発明の「課金処理」の具体につき文言以上の記載がないことは前記のとおりであるから、刊行物１の「課金情報を書き込む」が補正後発明にいう「課金処理」に相当するとして差し支えはない。
　（ｃ３）課金処理の時点
　刊行物１において、「課金情報を書き込む」時点は、放送局側が、加入者からの予約情報をモデムで復調した後である。この時点は、補正後発明にいう「受信端末からの事前連絡以後の時点で」に相当する。そして、予約というものは、一般に、視聴者の意向によりその都度不定期に発生するものであるところ、刊行物１には、加入者がアップストリームによって予約情報を放送局側へ送る時点について格別の記載もないことから、刊行物１の「課金情報を書き込む」（予約情報の送信）は周期性のあるものではなく、補正後発明と同じように「前記所定の周期による
課金処理
　（ｃ４）小括
　そうすると、刊行物１の「課金対象となるデジタル放送情報」は、補正後発明にいう「視聴した番組に応じて課金され、且つ、前記所定の周期による提供時点より前でも、受信端末からの事前連絡以後の時点で課金処理が行われる第３の種別の番組」に相当する。
　（ｄ）テレビジョン番組、多重化
　刊行物１では、入力端子ＩＮに印加されたデジタル放送情報はスクランブル処理され、その後、イニシャルデータＩｎ、暗号情報Ｅｉ、伝送ティアＴｉ、予約ティアＴｉなどが多重化され（タイミング回路１２０）、加入者側にダウンロードされる
　この構成は、補正後発明にいう「（各）番組がディジタル化された後に多重化され（、さらに）スクランブルされて伝送されるテレビジョン番組」に相当する。
　もっとも、刊行物１ではデジタル放送情報をスクランブルした後に多重化をしており、これを「（各番組がディジタル化された後に）多重化され、さらにスクランブルされて（伝送される）」とする補正後発明とは、多重化とスクランブルの前後順序において、相違が認められる。
　（ｅ）第３の種別の番組を受信する場合
　（ｅ１）事前連絡、番組の情報の伝送
　刊行物１では、加入者がキーバッド５００を操作して加入者識別符号ＩＤと予じめ知らされている番組態様を示す予約ティアＴｉを入力し、ＣＰＵ３００がこの加入者識別符号ＩＤと予約ティアＴｉをモデム６００を介してアップストリームによって放送局側１００へ送ることにより、番組予約を行なう。
　この番組予約の手順は、「前記第３の種別の番組を受信する場合」において、補正後発明にいう「前記第３の種別の番組を受信するための前記事前連絡に対応するユーザの操作を受け付け、ユーザの操作により選択された番組の情報を放送供給側に伝送し、」に相当する。
　（ｅ２）契約鍵の生成・伝送
　刊行物１では、放送局側で、加入者からの予約情報（加入者識別符号ＩＤと予約ティアＴｉ）をモデム１３０で復調し、課金マップ９０を参照して料金支払い等を確認した後に、メモリテーブル６０に対して予約ティアＴｉに対応するティアキーＫｉを書き込むことにより予約処理を行う。
　ここで、メモリテーブル６０に書き込まれるティアキーＫｉは、予約されたティアＴｉに対応するものであり、補正後発明にいう「前記放送供給側に伝送された前記ユーザの操作により選択された番組の情報に応答し（て前記放送供給側から伝送され）た前記番組の契約鍵（を受信し、）」に相当する。
　（ｅ３）契約鍵の受信
　刊行物１では、放送局側が、ティアキーＫｉ（予約ティアＴｉに対応）を、パスワード（Ｐａ、加入者識別符号ＩＤに対応）により暗号信号Ｅｉ＝ｇ（Ｋｉ、Ｐａ）に暗号化し、加入者側にダウンロードする。この暗号情報Ｅｉは、加入者側において、イニシャルデータＩｎとともに、スクランブルされた放送情報を復号化するため鍵情報として用いられる。
　このように、ティアキーＫｉは、放送局側から加入者側にダウンロードされるものであり、結局のところ、刊行物１には、補正後発明にいう「前記放送供給側に伝送された前記ユーザの操作により選択された番組の情報に応答して前記放送供給側から伝送された前記番組の契約鍵を受信し、」に相当する構成の開示が認められる。
　（ｅ４）スクランブル鍵
　（ｅ４１）番組情報
　刊行物１では、放送局側から、スクランブルされた放送情報とともに、イニシャルデータＩｎ、暗号情報Ｅｉ及び伝送ティアＴｉが関連鍵情報として送られる。
　刊行物１の関連鍵情報は、補正後発明にいう「番組に付随して伝送された番組情報」に相当する。
　そして、イニシャルデータｉｎは、補正後発明にいう「番組に付随して伝送された番組情報」に含まれる
鍵情報
　（ｅ４２）一致
　放送局側では、２種類の暗号鍵であるイニシャルデータＩｎとティアキーＫｉを用いて乱数発生器１０のシーケンス動作を制御し、乱数Ｋｓ＝ｆ（Ｋｉ、Ｉｎ）を発生させ、この乱数Ｋｓにより放送情報をスクランブルする。
　加入者側では、受信した信号から抽出したイニシャルデータＩｎとティアキーＫｉをもとにスクランブルに供した乱数と同様の乱数Ｋｓ＝ｆ（Ｋｉ、Ｉｎ）を乱数発生器２２０において発生させ、この乱数Ｋｓにより放送情報をデスクランブルする。
　以上によれば、刊行物１では、ティアキーＫｉとイニシャルデータＩｎ（「番組に付随して伝送された番組情報」に含まれる鍵情報）を受信し、これらに基づいて、デスクランブルを行なうことが認められる。
　他方、補正後発明は、「契約鍵」と「番組に付随して伝送された番組情報に含まれる暗号化されたスクランブル鍵」を受信し、これらに基づいて、デスクランブルを行うものである。
　そうすると、補正後発明と刊行物１とは、「受信した契約鍵と、番組に付随して伝送された番組情報に含まれる
鍵情報
　（ｅ４３）相違
　もっとも、補正後発明では、
鍵情報
鍵情報
　
（２−４）一致点・相違点
　以上によれば、補正後発明と刊行物１記載の発明との一致点および相違点は、下記とおりである。
　　　　　記（一致点）
　視聴した番組に応じて課金され、且つ、所定の周期による提供時点より前でも、受信端末からの事前連絡以後の時点で課金処理が行われる第３の種別の番組とを含むテレビジョン番組であって、ディジタル化された後に多重化されスクランブルされて伝送されるテレビジョン番組の放送信号を受信してデスクランブルする受信端末のデスクランブル方法において、
　前記第３の種別の番組を受信する場合、
　　前記第３の種別の番組を受信するための前記事前連絡に対応するユーザの操作を受け付け、
　　ユーザの操作により選択された番組の情報を放送供給側に伝送し、
　　前記放送供給側に伝送された前記ユーザの操作により選択された番組の情報に応答して前記放送供給側から伝送された前記番組の契約鍵を受信し、
　　
前記受信した契約鍵と前記番組に付随して伝送された番組情報に含まれる鍵情報に基づいて
　ことを特徴とするデスクランブル方法。
　　　　　記（相違点）
　〈相違点１（１）〉
　補正後発明では、伝送されるテレビジョン番組には、「チャンネル単位で契約が行われる第１の種別の番組」が含まれ、「前記第１の種別の番組を受信する場合、前記受信端末側に記憶されているスクランブル鍵により前記第１の種別の番組のデスクランブルを行（い）」うのに対して、
　刊行物１には、そのような「第１の種別の番組」については記載がない点。
　〈相違点１（２）〉
　補正後発明では、伝送されるテレビジョン番組には、「視聴した番組に応じて課金され、且つ、所定の周期で課金処理が行われる第２の種別の番組」が含まれ、「前記第２の種別の番組を受信する場合、前記第２の種別の番組を受信するためのユーザの操作を受け付け、（前記受信端末側に記憶されているスクランブル鍵により）前記第２の種別の番組のデスクランブルを行い、ユーザの操作により選択された番組の情報を記憶し、前記所定の周期で課金処理が行われるとき、記憶されている前記ユーザの操作により選択された番組の情報を放送供給側に伝送（し、）」するのに対して、
　刊行物１には、そのような「第２の種別の番組」については記載がない点。
　〈相違点２〉
　多重化とスクランブルの前後順序について、
　補正後発明では、「多重化され、さらにスクランブルされ」るのに対して、
　刊行物１では、「スクランブルされ、さらに多重化される」点。
　
　〈相違点３〉
　デスクランブルの態様について、
　補正後発明では、鍵情報は「暗号化されたスクランブル鍵」であり暗号化されており、「契約鍵に基づいてスクランブル鍵を復号し、復号したスクランブル鍵に基づいて」デスクランブルを行なうのに対して、
　刊行物１では、鍵情報は「イニシャルデータＩｎ」であるところそれは暗号化されておらず、「契約鍵に基づいてイニシャルデータＩｎを復号することなく、契約鍵とイニシャルデータＩｎに基づいて」デスクランブルを行なう点。
　
（２−５）相違点の判断等
　〈相違点１（１）について〉
　（ａ）周知の事項
　（ａ１）刊行物２
　査定で引用された刊行物２には、以下の記載がある。
　　「各放送事業者が有料放送を行う場合には、種々の料金設定方式のうちから特定の方式を採用し、それに基づいて受信者との契約を行う。この契約内容（例えば料金設定方式としてフラットフィー方式を用いる場合は契約期限など、ティア方式を用いる場合では契約期限と契約ティアなと、ペイパービュー方式を用いる場合では前払い金など）と前記ワーク鍵Ｋｗを受信機の有料デコーダに送る。
　　放送を受信するときには、その放送が契約内容と合致しているか否かを有料デコーダ内で判定し、ペイパービュー方式では残金があり視聴希望の入力がなされたことを確認し、これらの条件が満足されたときにデスクランブルを行い番組の視聴が可能になる。」（３頁右上欄18行〜左下欄６行）
　（ａ２）刊行物３
　査定で引用された刊行物３には、以下の記載がある。
　　「また、有料放送の料金設定方式には、契約期間内に定額の料金を支払えば全番組が視聴できるフラットフィー方式と、個別番組ごとに料金を設定し視聴した番組だけ課金するペイパープログラム方式、単位時間の料金を設定し視聴した時間に対応する料金を課するペイパータイム方式などがある。ペイパープログラムとペイパータイムとを総称してペイパービューと呼ぶ。」（１頁右下欄６行〜14行）
　（ａ３）小括
　以上によれば、補正後発明にいう「チャンネル単位で契約が行われる第１の種別の番組」を送受信し、「前記第１の種別の番組を受信する場合、前記受信端末側に記憶されているスクランブル鍵により前記第１の種別の番組のデスクランブルを行（い）」うシステムは、「フラットフィー」と称し課金システムの一つとして周知の事項であることが認められる。
　なお、「フラットフィー」および「ペイパービュー」のスクランブル鍵の提供形態は適宜選択可能であるところ、「受信端末側に記憶されている」構成も原始的な形態として選択し得ることは、当審で引用する刊行物６（特開昭６０−１９８９８４号公報）または同じく引用する刊行物７（特開昭６０−１３４６４３号公報）の記載から明らかである。
　（ｂ）刊行物１
　刊行物１には、「〔発明の技術的背景とその問題点〕　近年、新放送メディアの発達に伴い・・・多チャンネル放送が可能となってきている。このような放送メディアの高度化により放送番組の伝送種類も多岐にわたってきている。そして、放送局側においては特定の番組に対して課金を行ない放送局側と契約を行なった特定の加入者以外の加入者に対しては伝送信号に対して攪乱を与え・・・有料番組に対して行われる。」（１頁右下欄14行〜２頁左上欄８行）と記載されている。
　ここで、刊行物１は「多チャンネル放送が可能となってきている」背景にあり、「特定の番組に対して課金を行ない」によれば、課金を行わないことも想定されていることは明らかである。そして、「放送番組の伝送種類も多岐にわたってきている」との指摘によれば、有料放送方式についても刊行物１の課金方式に限らないと理解するのが自然である。そうすると、刊行物１には、「フラットフィー課金方式の番組」も放送し受信することにつき、格別の阻害事由はないと言うべきである。
　（ｃ）まとめ
　上記相違点１（１）に係る構成は、「多チャンネル放送が可能となってきている」との背景にある刊行物１において、上記周知の事項（フラットフィー課金方式）を採用することにより、当業者が容易になし得ることである。
　
　〈相違点１（２）について〉
　（ａ）周知の事項
　（ａ１）刊行物４
　当審で引用する刊行物４（特開昭６１−１２９９９１号公報）には、以下の記載がある。
　「別な従来のペイ・パー・ビュー・システムでは、まずセンターからは”ペー・パー・ビュー”というステイタス信号を送り、各ユーザは視聴したければ、受像機に付属したデコーダの”ペイ・パー・ビュー”スイッチを押す。これによってデスクランブルが行われて視聴が可能となる。視聴が行われると、デコーダ内の課金メモリーに視聴したことが記憶される。センターは、
定期的に
　（ａ２）刊行物５
　同じく引用する刊行物５（特開平５−２１９５０２号公報）には、以下の記載がある。
　「・・・課金装置は・・・１以上のホームターミナルと、ホームターミナル３が有料番組を受信したときこのホームターミナル３から電話回線４を介して送出されて来る視聴情報を受信収集し
一定期間ごとに
　（ａ３）小括
　以上によれば、補正後発明にいう「視聴した番組に応じて課金され、且つ、所定の周期で課金処理が行われる第２の種別の番組」を送受信し、「前記第２の種別の番組を受信する場合、前記第２の種別の番組を受信するためのユーザの操作を受け付け、前記受信端末側に記憶されているスクランブル鍵により前記第２の種別の番組のデスクランブルを行い、ユーザの操作により選択された番組の情報を記憶し、前記所定の周期で課金処理が行われるとき、記憶されている前記ユーザの操作により選択された番組の情報を放送供給側に伝送」するシステムは、「ペイパービュー」と称する課金システムの一つとして周知の事項であることが認められる。
　（ｂ）刊行物１
　刊行物１に「フラットフィー課金方式の番組」を放送することにつき格別の阻害事由がないことは前記のとおりであり、このことは、「ペイパービュー課金方式の番組」についても同様である。
　（ｃ）まとめ
　上記相違点１（２）に係る構成は、「多チャンネル放送が可能となってきている」との背景にある刊行物１において、上記周知の事項（ペイパービュー課金方式）を採用することにより、当業者が容易になし得ることである。
　
　〈相違点２について〉
　（ａ）刊行物８
　当審で引用する刊行物８（特開平５−２１９４８８号公報、図１）には、デジタル画像信号に音声信号や制御信号等の補助データを多重し、スクランブルし、シリアル伝送することが記載されている。
　（ｂ）補正後発明
　本願明細書には以下の記載がある。
　　「多重化器２においては、エンコーダ１より供給された所定の番組に対応するディジタル化され、圧縮された映像信号や音声信号と、スクランブル制御システム６より供給された個別情報が時分割多重された後、スクランブラ３に供給される。スクランブラ３に供給されたディジタル信号は、関連情報送出装置４より供給されたスクランブル鍵を用いて
番組部分だけがスクランブルされ、個別情報の部分はスクランブルされず
　　「スクランブラ３においては、そこに供給された番組を構成する圧縮された映像信号や音声信号と番組情報が時分割多重されたディジタル信号が、関連情報送出装置４より供給されたスクランブル鍵によって番組部分だけがスクランブルされ、番組情報の部分はスクランブルされずに伝送路１０に送出される。」（段落0033）
　これによれば、スクランブラ３においては、時分割多重されたディジタル信号（番組部分、個別情報、番組情報）のうち、
番組部分だけがスクランブルされ個別情報と番組情報の部分はスクランブルされない
　（ｃ）まとめ
　上記相違点２に係る構成は、刊行物１において、その排他的論理和回路２０とタイミング回路１２０の配置順序について、刊行物８に記載の上記構成を採用することにより、当業者が容易になし得ることである。
　
　〈相違点３について〉
　（ａ）刊行物２
　刊行物２には、スクランブル鍵Ｋｓを別の鍵であるワーク鍵Ｋｗにより暗号化して送信することが記載されている（２頁左下欄18行〜３頁左上欄１行、第７図）。また、「デスクランブル鍵Ｋｓ４０はＰＮ信号発生器に与える初期値やＰＮ信号発生器の構造データ等で構成される。」（５頁左下欄12行〜14行）との記載は、初期値がスクランブル鍵の一つであることを示している。
　（ｂ）刊行物１
　有料放送は、第三者から悪意のアクセスを受ける環境にあり、したがって、鍵情報の秘匿性を強化することは、有料放送では通常の技術志向である。
　刊行物１では、イニシャルデータＩｎを暗号化しないものの、上記技術志向に照らせば、これについてもその秘匿性を強化することは当然に認識されていると言うべきである。
　また、刊行物１のティアキーＫｉ（補正後発明の「番組の契約鍵」に相当）は秘匿（暗号化）され、かつ、イニシャルデータＩｎと共に乱数を特定する鍵情報として使用されている。
　（ｃ）まとめ
　上記相違点３に係る構成は、刊行物１において、上記技術志向の下、その乱数の特定がイニシャルデータＩｎとティアキーＫｉとに基づくことに着目し、刊行物２のスクランブル鍵Ｋｓ（初期値）がワーク鍵Ｋｗで暗号化される構成を適用することにより、当業者が容易になし得ることである。
　
　〈効果等について〉
　上記相違点１（１）から相違点３までに係る各構成は当業者が容易になし得ることであることは前記のとおりであるところ、これら各相違点を総合しても格別の作用をなすとは認められない。補正後発明の効果も、刊行物１、刊行物２および刊行物８の記載ならびに上記周知の事項（刊行物２、刊行物３、刊行物４、刊行物５、刊行物６、刊行物７）から予測することができる程度のものにすぎない。
　
（２−７）小括（独立特許要件）
　以上、補正後発明は、刊行物１、刊行物２および刊行物８に記載された発明ならびに周知技術に基づいて、当業者が容易に発明をすることができたものであるから、特許法第２９条第２項の規定により特許出願の際独立して特許を受けることができない。
　
３．むすび（決定）
　以上、本件補正は、特許法第１７条の２第３項、および、特許法第１７条の２第５項（同項で準用する第１２６条第５項）の各規定に違反する。
　本件補正は、特許法第１５９条第１項の規定において読み替えて準用する同法第５３条第１項の規定により却下すべきものである。
　
第三　本願発明
　
　平成１７年１０月５日付けの手続補正は上記のとおり却下する。
　本願の請求項１から請求項６までに係る発明は、本願明細書及び図面（平成１７年６月１４日付けの手続補正書により補正された明細書及び図面）の記載からみて、それぞれ、その特許請求の範囲の請求項１から請求項６までに記載した事項により特定されるとおりのものであるところ、そのうち、請求項１に係る発明（本願発明）は、下記のとおりである。
　　　　　記（本願発明）
　【請求項１】
　チャンネル単位で契約が行われる第１の種別の番組と、視聴した番組に応じて課金され、且つ、所定の周期で課金処理が行われる第２の種別の番組と、視聴した番組に応じて課金され、且つ、前記所定の周期による提供時点より前でも、受信端末からの事前連絡以後の時点で課金処理が行われる第３の種別の番組とを含むテレビジョン番組がスクランブルされて伝送される放送信号を受信してデスクランブルする受信端末のデスクランブル方法において、
　前記第３の種別の番組を受信するための前記事前連絡に対応するユーザの操作を受け付け、
　前記事前連絡の受付に応答して放送供給側から伝送された前記番組の契約鍵を受信し、
　前記受信した契約鍵に基づいて、前記番組に付随して伝送された番組情報に含まれる暗号化されたスクランブル鍵を復号し、
　前記復号されたスクランブル鍵に基づいて、前記番組のデスクランブルを行う
　ことを特徴とするデスクランブル方法。
　
第四　査定の検討
　
（１）引用刊行物の記載
　原査定の拒絶の理由に引用された刊行物１（特開昭６２−１８９号公報）には、前記のとおりの記載がある。
　
（２）対比（対応関係、一致点・相違点）
　本願発明と刊行物１に記載された発明とを対比する。
　補正後発明と刊行物１に記載された発明との対比については前記のとおりであるところ、本願発明と刊行物１に記載された発明との対比については、これを援用する。
　
（３）一致点・相違点
　本願発明と刊行物１に記載された発明との一致点および相違点は、下記のとおりである。
　　　　　記（一致点）
　視聴した番組に応じて課金され、且つ、所定の周期による提供時点より前でも、受信端末からの事前連絡以後の時点で課金処理が行われる第３の種別の番組
であるテレビジョン番組
　前記第３の種別の番組を受信するための前記事前連絡に対応するユーザの操作を受け付け、
　前記事前連絡の受付に応答して放送供給側から伝送された前記番組の契約鍵を受信し、
　　
前記受信した契約鍵と前記番組に付随して伝送された番組情報に含まれる鍵情報に基づいて
　ことを特徴とするデスクランブル方法。
　　　　　記（相違点）
　〈相違点１〉
　本願発明では、テレビジョン番組には、「チャンネル単位で契約が行われる第１の種別の番組」と「視聴した番組に応じて課金され、且つ、所定の周期で課金処理が行われる第２の種別の番組」が含まれるのに対して、
　刊行物１には、そのような「第１の種別の番組」と「第２の種別の番組」については記載がない点。
　〈相違点２〉
　デスクランブルの態様について、
　本願発明では、鍵情報は「暗号化されたスクランブル鍵」であり暗号化されており、「契約鍵に基づいてスクランブル鍵を復号し、復号したスクランブル鍵に基づいて」デスクランブルを行なうのに対して、
　刊行物１では、鍵情報は「イニシャルデータＩｎ」であるところ暗号化はされておらず、「契約鍵に基づいてイニシャルデータＩｎを復号することなく、契約鍵とイニシャルデータＩｎに基づいて」デスクランブルを行なう点。
　
（４）相違点の判断等
　〈相違点１について〉
　（ａ）周知の技術
　（ａ１）刊行物２
　査定で引用された刊行物２には、以下の記載がある。
　　「各放送事業者が有料放送を行う場合には、種々の料金設定方式のうちから特定の方式を採用し、それに基づいて受信者との契約を行う。この契約内容（例えば料金設定方式としてフラットフィー方式を用いる場合は契約期限など、ティア方式を用いる場合では契約期限と契約ティアなと、ペイパービュー方式を用いる場合では前払い金など）と前記ワーク鍵Ｋｗを受信機の有料デコーダに送る。
　　放送を受信するときには、その放送が契約内容と合致しているか否かを有料デコーダ内で判定し、ペイパービュー方式では残金があり視聴希望の入力がなされたことを確認し、これらの条件が満足されたときにデスクランブルを行い番組の視聴が可能になる。」（３頁右上欄18行〜左下欄６行）
　（ａ２）刊行物３
　査定で引用された刊行物３には、以下の記載がある。
　　「また、有料放送の料金設定方式には、契約期間内に定額の料金を支払えば全番組が視聴できるフラットフィー方式と、個別番組ごとに料金を設定し視聴した番組だけ課金するペイパープログラム方式、単位時間の料金を設定し視聴した時間に対応する料金を課するペイパータイム方式などがある。ペイパープログラムとペイパータイムとを総称してペイパービューと呼ぶ。」（１頁右下欄６行〜14行）
　（ａ３）小括
　上記各記載によれば、有料放送の料金設定方式には種々あるところ、これらのうちフラットフィー方式、ペーパービュー方式およびティア方式により契約する番組が、それぞれ、本願発明にいう「チャンネル単位で契約が行われる第１の種別の番組」、「視聴した番組に応じて課金され、且つ、所定の周期で課金処理が行われる第２の種別の番組」および「第３の種別の番組」に相当することは、明らかである。
　なお、上記各記載には、ペイパービュー方式の課金につき「所定の周期で課金処理が行われる」旨の記載はない。しかし、日頃の代金支払いにおいては、前払い（後払い）、一括払い（分割払い）、期末払い（その都度払い）など多様の決済方法が契約に随い等しく採用されているのが日常であり、このことは、特開昭６１−１２９９９１号公報、特開平５−２１９５０２号公報からも窺える。これに照らせば、刊行物２の「ペイパービュー方式を用いる場合では前払い金
など
　（ｂ）刊行物１
　刊行物１には、「〔発明の技術的背景とその問題点〕　近年、新放送メディアの発達に伴い・・・多チャンネル放送が可能となってきている。このような放送メディアの高度化により放送番組の伝送種類も多岐にわたってきている。そして、放送局側においては特定の番組に対して課金を行ない放送局側と契約を行なった特定の加入者以外の加入者に対しては伝送信号に対して攪乱を与え・・・有料番組に対して行われる。」（１頁右下欄14行〜２頁左上欄８行）と記載されている。
　ここで、刊行物１は「多チャンネル放送が可能となってきている」背景にあり、「特定の番組に対して課金を行ない」によれば、課金を行わないことも想定されていることは明らかである。そして、「放送番組の伝送種類も多岐にわたってきている」との指摘によれば、有料放送方式についても刊行物１の有料放送方式に限らないと理解するのが自然である。そうすると、刊行物１には、「フラットフィー課金方式の番組」および「ペイパービュー課金方式の番組」を放送することにつき、格別の阻害事由はないと言うべきである。
　（ｃ）まとめ
　上記相違点１に係る構成は、「多チャンネル放送が可能となってきている」との背景にある刊行物１において、上記周知の事項（フラットフィー課金方式、ペイパービュー課金方式）を採用することにより、当業者が容易になし得ることである。
　
　〈相違点２について〉
　上記補正後発明に係る相違点３についてした判断と同じである。
　
　〈効果等について〉
　上記相違点１および相違点２に係る各構成は当業者が容易になし得ることであることは前記のとおりであるところ、これら各相違点を総合しても格別の作用をなすとは認められない。本願発明の効果も、刊行物１および刊行物２の記載ならびに上記周知の事項から予測することができる程度のものにすぎない。
　
（５）まとめ（査定の検討）
　以上、本願発明は、刊行物１および刊行物２に記載された発明ならびに周知技術に基づいて当業者が容易に発明をすることができたものである。
　
第五　むすび
　
　以上、本願の請求項１に係る発明は、刊行物１および刊行物２に記載された発明ならびに周知技術に基づいて当業者が容易に発明をすることができたものであるから、特許法第２９条第２項の規定により特許を受けることができない。
　したがって、残る請求項２から請求項６までに係る各発明について特に検討をするまでもなく、本願は拒絶をすべきものである。
　よって、結論のとおり審決する。